(57)【要約】【課題】  表示装置を構成する液晶ディスプレイユニットのバックライトの光源を交換することが容易である遊技機を提供すること。【解決手段】  略Ｌ字型の蛍光管１３７を挿脱させるための開口部１１を液晶ディスプレイユニット１１５に設けており、液晶ディスプレイユニット１１５を分解することなく、液晶ディスプレイユニット１１５の開口部１１を介して、略Ｌ字型の蛍光管１３７を液晶ディスプレイユニット１１５の外部へ取り外したり、略Ｌ字型の蛍光管１３７を液晶ディスプレイユニット１１５の内部に取り付けたりすることができる。従って、略Ｌ字型の蛍光管１３７の交換作業が容易となる。【選択図】  図１
2005131105.tif 000002
【特許請求の範囲】
【請求項１】
表示装置と、前記表示装置に内蔵された略長方形の液晶ディスプレイユニットと、前記液晶ディスプレイユニットのバックライトを構成する略Ｌ字型の蛍光管と、を有する遊技機において、
前記略Ｌ字型の蛍光管を挿脱させるための開口部を前記液晶ディスプレイユニットに設けたこと、を特徴とする遊技機。
【請求項２】
請求項１に記載する遊技機であって、
前記開口部を前記液晶ディスプレイユニットの短辺側の側面に設けたこと、を特徴とする遊技機。
【請求項３】
請求項２に記載する遊技機であって、
前記開口部の一部を前記液晶ディスプレイユニットの背面にまで設けたこと、を特徴とする遊技機。
【請求項４】
請求項１乃至請求項３のいずれか一つに記載する遊技機であって、
前記略Ｌ字型の蛍光管が納められるとともに前記開口部に挿脱されるホルダーを備え、
前記ホルダーが前記開口部に差し込まれた際に前記液晶ディスプレイユニットから突出する取手を前記ホルダーに設けたこと、を特徴とする遊技機。
【請求項５】
請求項４に記載する遊技機であって、
前記略Ｌ字型の蛍光管の屈曲部又は前記屈曲部の近傍を覆う前記ホルダーの部分に前記取手を設けたこと、を特徴とする遊技機。
【請求項６】
請求項１乃至請求項５のいずれか一つに記載する遊技機であって、
前記ホルダーに設けられた折曲自在な係止片を備え、
前記ホルダーに納められた前記略Ｌ字型の蛍光管を前記係止片で保持すること、を特徴とする遊技機。
【請求項７】
請求項４乃至請求項６のいずれか一つに記載する遊技機であって、
前記ホルダーの形状が略Ｌ字型であることにより、前記略Ｌ字型の蛍光管の全体が前記ホルダーに納められること、を特徴とする遊技機。
【発明の詳細な説明】
【技術分野】
【０００１】
本発明は、略Ｌ字型の蛍光管をバックライトの光源とする液晶ディスプレイユニットが表示装置として備えられた遊技機に関するものである。
【背景技術】
【０００２】
従来の遊技機、例えば、パチンコ機においては、図１０のパチンコ機１０１に示すように、遊技盤１０２の中央に表示装置１０３を設けている。この点、表示装置１０３には、液晶演出をするためのカラーモジュールが備えられている。そして、このカラーモジュールは、図１１の分解斜視図で示すように、種々の部品で構成されている。
【０００３】
すなわち、カラーモジュール１０４は、トップフレーム１１１や、サイドインシュレーター１１２、第１スプリング１１３、第２スプリング１１４、略長方形の液晶ディスプレイユニット１１５、パッド１１６、サブパッド１１７、溶接ピン１１８、サポーター１１９、ドライブ基板１２０、ビス１２１、インシュレーター１２２、ボトムフレーム１２３、ビス１２４などが重なるようにして構成されている。
【０００４】
さらに、液晶演出が行われる液晶ディスプレイユニット１１５は、図１２の分解斜視図で示すように、フロントフレーム１３１や、偏光板１３２、カラーフィルタ１３３、アレイ基板１３４、偏光板１３５、バックライト１３６、上記バックライト１３６の光源である略Ｌ字型の蛍光管１３７、バックフレーム１３８などが重なるようにして構成されている。
【０００５】
また、図１３の正面図に示すように、液晶ディスプレイユニット１１５の外側には、略Ｌ字型の蛍光管１３７から配線されたコネクタ１３９が飛び出している。尚、図１４は、図１３の線Ａ−Ａで切断した断面図である。
【０００６】
この点、液晶ディスプレイユニット１１５は、高価なものであるので、コスト削減の観点から、旧仕様のパチンコ機から取り出して新仕様のパチンコ機に再利用されている。そのため、液晶ディスプレイユニット１１５が再利用されると、バックライト１３６の光源の寿命が尽きやすく、バックライト１３６の光源である略Ｌ字型の蛍光管１３７を交換する機会が多い。
【０００７】
しかしながら、上述したように、交換対象の略Ｌ字型の蛍光管１３７を内蔵した液晶ディスプレイユニット１１５や、この液晶ディスプレイユニット１１５で構成されたカラーモジュール１０４は、多数の部品が重なり合って組み立てられていることから、略Ｌ字型の蛍光管１３７を交換する際には、手作業により、多数の部品の分解・組付を行う必要があった。さらに、バックライト１３６の光源は、コスト削減の観点から、１本の蛍光管で間に合わせることができる略Ｌ字形状の蛍光管（略Ｌ字型の蛍光管１３７）を使用していることから、手作業の際に折れやすいものであった。従って、略Ｌ字型の蛍光管１３７を交換する作業員は、大変な労力を費やさなければならなかった。
【０００８】
そこで、近年では、バックライト用光源を無駄なく且つ作業性よく交換することが可能な液晶表示装置が開発されてきている（例えば、特許文献１参照）。
【特許文献１】特開２００２−１３１７４４号公報
【発明の開示】
【発明が解決しようとする課題】
【０００９】
しかしながら、上記特許文献１に記載された液晶表示装置では、バックライト用光源を交換する際には、バックライト用光源と光源駆動用回路基板などが一体化されたユニットごと交換することが必要であり、このとき、光源駆動用回路基板が液晶表示装置のハウジングの一部をなす構成になっていることから、既存の液晶ディスプレイユニット１１５の構成に適用することが困難であった。
【００１０】
そこで、本発明は、上述した点を鑑みてなされたものであり、表示装置を構成する液晶ディスプレイユニットのバックライトの光源を交換することが容易である遊技機を提供することを課題とする。
【課題を解決するための手段】
【００１１】
この課題を解決するために成された請求項１に係る発明は、表示装置と、前記表示装置に内蔵された略長方形の液晶ディスプレイユニットと、前記液晶ディスプレイユニットのバックライトを構成する略Ｌ字型の蛍光管と、を有する遊技機において、前記略Ｌ字型の蛍光管を挿脱させるための開口部を前記液晶ディスプレイユニットに設けたこと、を特徴としている。
【００１２】
また、請求項２に係る発明は、請求項１に記載する遊技機であって、前記開口部を前記液晶ディスプレイユニットの短辺側の側面に設けたこと、を特徴としている。
【００１３】
また、請求項３に係る発明は、請求項２に記載する遊技機であって、前記開口部の一部を前記液晶ディスプレイユニットの背面にまで設けたこと、を特徴としている。
【００１４】
また、請求項４に係る発明は、請求項１乃至請求項３のいずれか一つに記載する遊技機であって、前記略Ｌ字型の蛍光管が納められるとともに前記開口部に挿脱されるホルダーを備え、前記ホルダーが前記開口部に差し込まれた際に前記液晶ディスプレイユニットから突出する取手を前記ホルダーに設けたこと、を特徴としている。
【００１５】
また、請求項５に係る発明は、請求項４に記載する遊技機であって、前記略Ｌ字型の蛍光管の屈曲部又は前記屈曲部の近傍を覆う前記ホルダーの部分に前記取手を設けたこと、を特徴としている。
【００１６】
また、請求項６に係る発明は、請求項１乃至請求項５のいずれか一つに記載する遊技機であって、前記ホルダーに設けられた折曲自在な係止片を備え、前記ホルダーに納められた前記略Ｌ字型の蛍光管を前記係止片で保持すること、を特徴としている。
【００１７】
また、請求項７に係る発明は、請求項４乃至請求項６のいずれか一つに記載する遊技機であって、前記ホルダーの形状が略Ｌ字型であることにより、前記略Ｌ字型の蛍光管の全体が前記ホルダーに納められること、を特徴としている。
【００１８】
尚、本発明の遊技機には、パチンコ機や、パチスロ機、スロットマシンなどがある。
【発明の効果】
【００１９】
すなわち、請求項１に係る発明の遊技機では、略Ｌ字型の蛍光管を挿脱させるための開口部を液晶ディスプレイユニットに設けており、液晶ディスプレイユニットを分解することなく、液晶ディスプレイユニットの開口部を介して、略Ｌ字型の蛍光管を液晶ディスプレイユニットの外部へ取り外したり、略Ｌ字型の蛍光管を液晶ディスプレイユニットの内部に取り付けたりすることができるので、略Ｌ字型の蛍光管の交換作業が容易となる。
【００２０】
また、請求項２に係る発明の遊技機では、略長方形の液晶ディスプレイユニットの短辺側の側面に開口部を設けており、略Ｌ字型の蛍光管の交換作業の際には、液晶ディスプレイユニットの開口部を介して、略Ｌ字型の蛍光管の短手部分を把持することができるので、略Ｌ字型の蛍光管の破損を防止することができる。
【００２１】
また、請求項３に係る発明の遊技機では、液晶ディスプレイユニットの背面にまで開口部の一部を設けているので、略Ｌ字型の蛍光管の交換作業の際には、液晶ディスプレイユニットの開口部を介して、略Ｌ字型の蛍光管の短手部分を把持することが容易となる。
【００２２】
また、請求項４に係る発明の遊技機では、略Ｌ字型の蛍光管が納められるホルダーに設けられた取手を指先で挟みもてば、液晶ディスプレイユニットの開口部に挿脱されるホルダーを介して、略Ｌ字型の蛍光管を液晶ディスプレイユニットの外部へ取り外したり、略Ｌ字型の蛍光管を液晶ディスプレイユニットの内部に取り付けたりすることができるので、略Ｌ字型の蛍光管の交換作業が一層に容易となる。
【００２３】
また、請求項５に係る発明の遊技機では、略Ｌ字型の蛍光管の屈曲部又は屈曲部の近傍を覆うホルダーの部分に取手を設けており、略Ｌ字型の蛍光管の交換作業には、略Ｌ字型の蛍光管の中で最も強度がある屈曲部又は屈曲部の近傍で外力を受け止めるので、略Ｌ字型の蛍光管の破損を一層に防止することができる。
【００２４】
また、請求項６に係る発明の遊技機では、係止片を折曲させた状態においては、ホルダーに納められた略Ｌ字型の蛍光管を安定に保持することができる一方で、係止片を伸張させた状態においては、ホルダーから略Ｌ字型の蛍光管を容易に取り出したり取り付けたりすることができるので、略Ｌ字型の蛍光管の交換作業に負担をかけることなく、略Ｌ字型の蛍光管がホルダーから脱落することを未然に防止することができる。
【００２５】
また、請求項７に係る発明の遊技機では、略Ｌ字型の蛍光管の全体が略Ｌ字型のホルダーに納められるので、液晶ディスプレイユニットの開口部にホルダーを挿脱させる際に、ホルダーに納められた略Ｌ字型の蛍光管に外力が作用することがなく、略Ｌ字型の蛍光管の破損をより一層に防止することができる。
【発明を実施するための最良の形態】
【００２６】
以下、本発明の実施の形態を図面を参照にして説明する。本実施の形態は、「背景技術」の欄で説明した液晶ディスプレイユニット１１５を改良したものであるので、液晶ディスプレイユニット１１５と同一の構成については、同一の符号を付して説明を省略し、異なった点を中心に説明する。
【００２７】
図１は、本実施の形態における液晶ディスプレイユニット１１５の斜視図である。図１に示すように、本実施の形態における液晶ディスプレイユニット１１５は、略長方形の形状を有しており、その短辺側の側面においては、フロントフレーム１３１及びバックフレーム１３８を貫いた開口部１１が設けられている。そして、この開口部１１は、液晶ディスプレイユニット１１５の背面側にまで及んでおり、その背面側に切欠部１２を形成させている。さらに、この開口部１１に対しては、取手１３が突設されたホルダー１４を差し入れたり外したりすることができる。この点、液晶ディスプレイユニット１１５の開口部１１にホルダー１４が差し入れた際には、液晶ディスプレイユニット１１５の短辺側の側面からホルダー１４の取手１３が突き出した状態になるとともに、液晶ディスプレイユニット１１５の背面側の切欠部１２からは、ホルダー１４の一部が露出した状態になる。
【００２８】
また、ホルダー１２は、図２の正面図に示すように、略Ｌ字型の形状をしている。また、ホルダー１２の短手方向の側面部分は、図３に示すように、コの字の形状をしている。同様にして、ホルダー１２の長手方向の側面部分は、図４に示すように、コの字の形状をしている。すなわち、ホルダー１２は、図１の斜視図でもわかるように、断面がコの字の形状になっている。従って、図５の斜視図に示すように、ホルダー１２においては、インバータに接続するためのコネクタ１３９が配線でつながれた略Ｌ字型の蛍光管１３７の全体を納めることができる。
【００２９】
従って、略Ｌ字型の蛍光管１３７の全体が納められたホルダー１２を、図１に示すように、液晶ディスプレイユニット１１５の開口部１１に差し入れたり外したりすると、液晶ディスプレイユニット１１５のバックライト１３６の光源である略Ｌ字型の蛍光管１３７を、液晶ディスプレイユニット１１５の内部に取り付けたり、液晶ディスプレイユニット１１５の外部へ取り外したりすることができるので、略Ｌ字型の蛍光管１３７の交換作業をホルダー１２を介して行うことが可能となる。
【００３０】
さらに、液晶ディスプレイユニット１１５の開口部１１にホルダー１４が差し入れた際には、液晶ディスプレイユニット１１５の短辺側の側面からホルダー１４の取手１３が突き出した状態になることから、ホルダー１４の取手１３を作業者が指先で挟み持つことができ、略Ｌ字型の蛍光管１３７の交換作業にとって便宜である。
【００３１】
また、液晶ディスプレイユニット１１５の開口部１１にホルダー１４が差し入れた際には、液晶ディスプレイユニット１１５の背面側の切欠部１２からは、ホルダー１４の一部が露出した状態になることから、切欠部１２を介して、ホルダー１４を作業者がつまみ出すことができる。特に、ホルダー１４の取手１３が折れて作業者が指先で挟み持つことができない場合には、略Ｌ字型の蛍光管１３７の交換作業にとって便宜となる。
【００３２】
以上詳細に説明したように、本実施の形態のパチンコ機１０１では、表示装置１０３と、表示装置１０３に内蔵された略長方形の液晶ディスプレイユニット１１５と、液晶ディスプレイユニット１１５のバックライト１３６を構成する略Ｌ字型の蛍光管１３７と、を有するものである。この点、図１に示すように、略Ｌ字型の蛍光管１３７を挿脱させるための開口部１１を液晶ディスプレイユニット１１５に設けており、液晶ディスプレイユニット１１５を図１２に示すように分解することなく、液晶ディスプレイユニット１１５の開口部１１を介して、略Ｌ字型の蛍光管１３７を液晶ディスプレイユニット１１５の外部へ取り外したり、略Ｌ字型の蛍光管１３７を液晶ディスプレイユニット１１５の内部に取り付けたりすることができるので、略Ｌ字型の蛍光管１３７の交換作業が容易となる。
【００３３】
また、本実施の形態のパチンコ機１０１では、略Ｌ字型の蛍光管１３７が納められたホルダー１４に設けられた取手１３を指先で挟みもてば、液晶ディスプレイユニット１１５の開口部１１に挿脱されるホルダー１４を介して、略Ｌ字型の蛍光管１３７を液晶ディスプレイユニット１１５の外部へ取り外したり、略Ｌ字型の蛍光管１３７を液晶ディスプレイユニット１１５の内部に取り付けたりすることができるので、略Ｌ字型の蛍光管１３７の交換作業が一層に容易となる。
【００３４】
また、本実施の形態のパチンコ機１０１では、図１に示すように、略Ｌ字型のホルダー１４の屈曲部１５に取手１３が設けられる。また、略Ｌ字型のホルダー１４に略Ｌ字型の蛍光管１３７が納められた際には、図５に示すように、略Ｌ字型のホルダー１４の屈曲部１５に略Ｌ字型の蛍光管１３７の屈曲部１６が納められる。従って、略Ｌ字型の蛍光管１３７の交換作業に、ホルダー１４の取手１３を介して外力が作用しても、略Ｌ字型の蛍光管１３７の中で最も強度がある屈曲部１６で外力を受け止めるので、略Ｌ字型の蛍光管１３７の破損を一層に防止することができる。
この点は、略Ｌ字型のホルダー１４の屈曲部１５の近傍に取手１３が設けられた場合でも同様である。
【００３５】
また、本実施の形態のパチンコ機１０１では、図５に示すように、略Ｌ字型の蛍光管１３７の全体が略Ｌ字型のホルダー１４に納められるので、図１に示すようにして、液晶ディスプレイユニット１１５の開口部１１にホルダー１４を挿脱させる際に、ホルダー１４に納められた略Ｌ字型の蛍光管１３７に外力が作用することがなく、略Ｌ字型の蛍光管１３７の破損をより一層に防止することができる。
【００３６】
尚、本発明は上記実施の形態に限定されるものでなく、その趣旨を逸脱しない範囲で様々な変更が可能である。
例えば、図６の斜視図に示すように、折り曲げたり伸ばしたりすることができる係止片１７をホルダー１４に設けて、略Ｌ字型の蛍光管１３７をホルダー１４に納めた後に、図７の側面図に示すように、係止片１７を折り曲げれば、ホルダー１４に納められた略Ｌ字型の蛍光管１３７を係り合わせて止めることができるので、ホルダー１４に納められた略Ｌ字型の蛍光管１３７を安定に保持することができる。また、その一方で、係止片１７を伸ばせば、ホルダー１４から略Ｌ字型の蛍光管１３７を容易に取り出したり取り付けたりすることができる。従って、略Ｌ字型の蛍光管１３７の交換作業に負担をかけることなく、略Ｌ字型の蛍光管１３７がホルダー１４から脱落することを未然に防止することができる。
尚、図７は、係止片１７が折り曲げたり伸ばしたりすることができることを説明するための図であるので、略Ｌ字型の蛍光管１３７が納められた状態のホルダー１４の長手部分又は短手部分しか記載されていない。
【００３７】
また、略Ｌ字型の蛍光管１３７の全体を納めることができるホルダー１４に代えて、例えば、略Ｌ字型の蛍光管１３７の屈曲部１５のみを保持するホルダーを使用してもよい。このホルダーの斜視図を図８に示す。この点、図８のホルダー２１にも取手２２が設けられ、この取手１２は、液晶ディスプレイユニット１１５の開口部１１にホルダー２１が差し入れた際には、液晶ディスプレイユニット１１５の短辺側の側面から突き出した状態になる。
尚、図９において、略Ｌ字型の蛍光管１３７の屈曲部１５のみを保持するホルダー２１が、液晶ディスプレイユニット１１５の開口部１１に差し入れられたり外されたりする際の概略を示す。
【００３８】
また、略長方形の液晶ディスプレイユニット１１５の短辺側の側面に開口部１１を設ければ、上述したホルダー１４やホルダー２１を用いなくとも、液晶ディスプレイユニット１１５を分解することなく、略Ｌ字型の蛍光管１３７の交換作業を行うことも可能である。この点、略長方形の液晶ディスプレイユニット１１５の内部では、その短辺側において、略Ｌ字型の蛍光管１３７の短手部分が配置されるのが通常であるので、略Ｌ字型の蛍光管１３７の交換作業の際には、液晶ディスプレイユニット１１５の開口部１１を介して、ホルダー１４に納められた略Ｌ字型の蛍光管１３７の短手部分を把持することができる。従って、略長方形の液晶ディスプレイユニット１１５の短辺側の側面に開口部１１を介して、略Ｌ字型の蛍光管１３７の交換作業を行えば、略Ｌ字型の蛍光管１３７の破損を防止することができる。
【００３９】
また、略長方形の液晶ディスプレイユニット１１５の短辺側の側面に設けれた開口部１１は、液晶ディスプレイユニット１１５の背面側にまで及んでおり、その背面側に切欠部１２を形成させていることから、上述したホルダー１４やホルダー２１を用いない場合では、切欠部１２からは、略Ｌ字型の蛍光管１３７の短手部分が露出した状態となる。従って、略Ｌ字型の蛍光管１３７の交換作業の際には、液晶ディスプレイユニット１１５の開口部１１及び切欠部１２を介して、略Ｌ字型の蛍光管１３７の短手部分を把持することが容易となる。
【産業上の利用可能性】
【００４０】
本発明は、略Ｌ字型の蛍光管をバックライトの光源とする液晶ディスプレイユニットが表示装置として備えられたものであれば、パチンコ機だけでなく、パチンコ機以外の遊技機に適用しうる。
【図面の簡単な説明】
【００４１】
【図１】本発明の一実施形態における液晶ディスプレイユニットとホルダーの斜視図である。
【図２】本発明の一実施形態におけるホルダーの正面図である。
【図３】本発明の一実施形態におけるホルダーの短手方向の側面部分を示した図である。
【図４】本発明の一実施形態におけるホルダーの長手方向の側面部分を示した図である。
【図５】本発明の一実施形態におけるホルダーに略Ｌ字型の蛍光管の全体が納めららた状態を示す斜視図である。
【図６】本発明の一実施形態におけるホルダーの斜視図である。
【図７】本発明の一実施形態におけるホルダーの長手部分又は短手部分の側面を示した図である。
【図８】本発明の一実施形態におけるホルダーの斜視図である。
【図９】本発明の一実施形態における液晶ディスプレイユニットとホルダーの斜視図である。
【図１０】パチンコ機の正面図である。
【図１１】カラーモジュールの分解斜視図である。
【図１２】液晶ディスプレイユニットの分解斜視図である。
【図１３】液晶ディスプレイユニットの正面図である。
【図１４】図１３の線Ａ−Ａで切断した液晶ディスプレイユニットの断面図である。
【符号の説明】
【００４２】
１１  開口部
１３  取手
１４  ホルダー
１６  略Ｌ字型の蛍光管の屈曲部
１７  係止片
２１  ホルダー
２２  取手
１０１  パチンコ機
１０３  表示装置
１１５  液晶ディスプレイユニット
１３６  バックライト
１３７  略Ｌ字型の蛍光管
【図１】
2005131105.tif 000003
【図２】
2005131105.tif 000004
【図３】
2005131105.tif 000005
【図４】
2005131105.tif 000006
【図５】
2005131105.tif 000007
【図６】
2005131105.tif 000008
【図７】
2005131105.tif 000009
【図８】
2005131105.tif 000010
【図９】
2005131105.tif 000011
【図１０】
2005131105.tif 000012
【図１１】
2005131105.tif 000013
【図１２】
2005131105.tif 000014
【図１３】
2005131105.tif 000015
【図１４】
2005131105.tif 000016